【手続補正書】
【提出日】平成26年11月17日(2014.11.17)
【手続補正１】
【補正対象書類名】特許請求の範囲
【補正対象項目名】全文
【補正方法】変更
【補正の内容】
【特許請求の範囲】
【請求項１】
ステントデリバリーシステムと共に使用するための拡張可能な搭載バスケット（１０８）であって、前記バスケットは、基端（１１０）、先端（１１２）および表面（１１１）を有するとともに、
前記基端に位置し、かつ、直径（Ｄ１）を有する基端部分（１３０）と、
前記基端部分に接続され、かつ、直径（Ｄ２）を有する基端側本体部分（１３４）と、
前記基端側本体部分に接続された先端側移行部分（１３６）と、
前記先端側移行部分に接続され、かつ、直径（Ｄ３）を有する先端側本体部分（１３９）と、
前記先端側本体部分に接続され、かつ、前記バスケットの先端を形成する先端部分（１４０）と、を備え、前記先端部分は、前記バスケットの先端側本体部分の直径から先端における直径（Ｄ４）まで漸減する直径を有し、
先端における直径（Ｄ４）は先端側本体部分の直径（Ｄ３）よりも小さく、先端における直径（Ｄ４）は基端部分（１３０）の直径（Ｄ１）よりも大きく、基端側本体部分（１３４）の直径（Ｄ２）は先端側本体部分の直径（Ｄ３）よりも大きく、先端側本体部分の直径（Ｄ３）は基端部分の直径（Ｄ１）よりも大きいことを特徴とする、搭載バスケット。
【請求項２】
前記先端側移行部分と先端側本体部分との間に把持部領域（１４２，１４４，１４６）をさらに備える、請求項１に記載の搭載バスケット。
【請求項３】
前記把持部領域（１４２）は先端側本体部分（１３８）の直径（Ｄ３）より小さい直径（Ｄ５）を有する、請求項２に記載の搭載バスケット。
【請求項４】
前記先端側本体部分（１３８）の少なくとも一部はコーティングバンド（１４４）を有する、請求項１に記載の搭載バスケット。
【請求項５】
前記基端部分（１３０）と基端側本体部分（１３４）との間に基端側移行部分（１３２）をさらに備える、請求項１に記載の搭載バスケット。
【請求項６】
前記先端部分は、前記搭載バスケットの先端を画定する複数のループ（１４１）を有する、請求項１に記載の搭載バスケット。
【請求項７】
前記搭載バスケットの表面（１１１）は編組されており、前記先端において搭載バスケットの周囲の編組された表面を介してフィラメント（１４６）が織り込まれている、請求項１に記載の搭載バスケット。
【請求項８】
前記先端側本体部分（１３９）と先端部分（１４０）との間の第１角度（θ１）と、
前記基端側本体部分（１３４）と先端側移行部分（１３６）との間の第２角度（θ２）と、
前記基端側本体部分（１３４）と基端側移行部分（１３２）との間の第３角度（θ３）と、をさらに有し、第３角度（θ３）は第２角度（θ２）に等しい、請求項５に記載の搭載バスケット。
【請求項９】
前記基端部分は、前記基端側本体部分、先端側移行部分、先端側本体部分および先端部分を組み合わせたよりも大きな軸長を有する、請求項１に記載の搭載バスケット。
【請求項１０】
搭載状態および展開状態を有するステントデリバリーシステム（１００）と共に使用する請求項１−９のいずれか一項に記載の搭載バスケットであって、該ステントデリバリーシステムは、
ステント搭載領域（１０４）を有する第１部材（１０２）と、
前記第１部材と摺動可能に係合するとともに、そこに取り付けられた搭載バスケットを有する第２部材（１０５）と、
基端（１１６）と、基端側フレア状部分（１２０）と、本体部分（１２４）と、先端（１１８）と、管腔を画定する壁と、を有するステント（１１４）と、を備え、前記ステントの基端側フレア状部分（１２０）は前記搭載バスケットの基端側本体部分（１３４）内に置かれて、そこから本体部分（１２４）が延び、前記ステントの管腔は第１部材（１０２）の周りに配置されている、搭載バスケット。
【請求項１１】
前記搭載状態において、前記先端部分（１３８）または搭載バスケットの把持部領域（１４２）は、前記ステントの外面と接触する、請求項１０に記載の搭載バスケット。
【請求項１２】
前記第２部材（１０５）と摺動可能に係合された第３部材（１０６）をさらに備え、前記第１部材（１０２）は前記第２部材（１０５）と同軸であり、前記第２部材（１０５）は前記第３部材（１０６）と同軸である、請求項１０に記載の搭載バスケット。
【請求項１３】
請求項１に記載の搭載バスケット（１０８）を作製するための方法であって、
搭載バスケット（１０８）を形成するために、マンドレルアセンブリ（２００）の周りに単一フィラメントの（２３０）を巻き付ける工程であって、マンドレルアセンブリが、
先端側シャフト（２２４）を含むマンドレル（２０２）と、
前記マンドレル（２０２）の先端側シャフト（２２４）の外面と係合し、かつ、複数のフック（２０９）を有するフック端アセンブリ（２０８）と、
前記マンドレル（２０２）と取り外し可能に係合する分離チューブ（２１４）と、を備え、
前記単一フィラメントの（２３０）を巻き付ける工程が、
前記マンドレルアセンブリの基端（２０４）からフック端アセンブリ（２０８）に向かって先端方向へ単一フィラメントをらせん状に巻き付ける工程と、
前記搭載バスケット（１０８）の先端部にループ（１４１）を形成するために、前記フック端アセンブリ（２０８）の複数のフック（２０９）の１つの周りに単一フィラメントを巻き付ける工程と、
前記フック端アセンブリ（２０８）からマンドレルアセンブリの基端（２０４）に向かって基端方向へ単一フィラメントをらせん状に巻き付ける工程と、を含む、工程と、
前記搭載バスケットの表面（１１１）が完全に形成されるまで、前記巻き付け工程を繰り返す工程と、
前記マンドレルアセンブリから分離チューブ（２１４）を取り外す工程と、
前記搭載バスケットの基端部分（１３０）を形成するために、マンドレル（２０２）の基端部の周りで保持機構（２３２）により搭載バスケットの表面（１１１）を引き締める工程と、
前記マンドレルアセンブリ（２００）からフック端アセンブリ（２０８）を取り外す工程と、
前記搭載バスケット（１０８）の先端（１１２）を形成するために、成形リング（２２８）を先端側シャフト（２２４）上に配置する工程であって、成形リングは前記マンドレル（２０２）の先端部分（２２２）に当接する工程と、
前記搭載バスケット（１０８）の形状を整えるためにヒートセットする工程と、
前記搭載バスケット（１０８）を前記マンドレルアセンブリから取り外す工程と、を含む、方法。
【請求項１４】
前記マンドレルが、
前記搭載バスケット（１０８）の基端部分（１３０）を形成するように構成された基端部分（２１５）と、
前記搭載バスケット（１０８）の基端側本体部分（１３４）を形成するように構成された基端側本体部分（２１８）と、
前記搭載バスケット（１０８）の先端側移行部分（１３６）を形成するように構成された先端側移行部分（２２０）と、
前記搭載バスケット（１０８）の先端側本体部分（１３８）を形成するように構成された先端側本体部分（２２２）と、
前記搭載バスケット（１０８）の先端部分（１３９）を形成するように構成された先端部分（２２２）と、を備える、請求項１３に記載の方法。
【請求項１５】
前記マンドレルがさらに、前記搭載バスケット（１０８）の把持領域（１４２）を形成するために、把持部形状（２２６）を有する、請求項１４に記載の方法。
【手続補正２】
【補正対象書類名】明細書
【補正対象項目名】発明の名称
【補正方法】変更
【補正の内容】
【発明の名称】ステントデリバリーシステム用搭載バスケットおよびその作製方法